(57)【要約】【課題】発電電動機械におけるキーバーの振動およびそれに関連する騒音を低減するためのキーバー圧縮装置を提供すること。【解決手段】発電電動機械におけるキーバーのがたつきを低減するための解決策が開示される。一実施形態では、装置は、固定子鉄心（１２０）を固定子鉄心（１２０）が少なくとも部分的に収容される固定子ラッパ（１６０）に動作可能に結合する複数のキーバー（１３０）と、複数のキーバー（１３０）を取り囲むケーブル（１４０）と、ケーブル（１４０）を複数のキーバー（１３０）の周りで締め付けることによって、複数のキーバー（１３０）の少なくとも１つに対して圧縮荷重を生じさせるように、ケーブルの部分（１４６）を固定子ラッパ（１６０）に接続する少なくとも１つのアンカーデバイス（１７０）とを含む。【選択図】図３
2011101587.tif 000002
【特許請求の範囲】
【請求項１】
固定子鉄心（１２０）を前記固定子鉄心（１２０）が少なくとも部分的に収容される固定子ラッパ（１６０）に動作可能に結合する複数のキーバー（１３０）と、
前記複数のキーバー（１３０）を取り囲むケーブル（１４０）と、
前記ケーブル（１４０）を前記複数のキーバー（１３０）の周りで締め付けることによって、前記複数のキーバー（１３０）の少なくとも１つに対して圧縮荷重を生じさせるように、前記ケーブルの部分（１４６）を前記固定子ラッパ（１６０）に接続する少なくとも１つのアンカーデバイス（１７０）とを備える、装置。
【請求項２】
前記ケーブル（１４０）が、前記ケーブルの部分（１４６）を前記少なくとも１つのアンカーデバイス（１７０）に取り付けるように構成されたループ（１４２）を含む、請求項１記載の装置。
【請求項３】
前記少なくとも１つのアンカーデバイス（１７０）および前記ケーブルの部分（１４６）が前記ラッパ（１６０）の壁に取り付けられ、前記少なくとも１つのアンカーデバイス（１７０）が前記壁の外部の地点からアクセス可能である、請求項１記載の装置。
【請求項４】
前記少なくとも１つのアンカーデバイス（１７０）が、前記壁の内部の地点と前記壁の外部の前記地点との間にほぼ気密のシールをもたらす、請求項３記載の装置。
【請求項５】
回転子（１１５）と、
前記回転子（１１５）をほぼ取り囲む固定子とを備え、前記固定子（１１５）が、
固定子鉄心（１２０）を前記固定子鉄心（１２０）が少なくとも部分的に収容される固定子ラッパ（１６０）に動作可能に結合する複数のキーバー（１３０）と、
前記複数のキーバー（１３０）を取り囲むケーブル（１４０）と、
前記ケーブル（１４０）を前記複数のキーバー（１３０）の周りで締め付けることによって、前記複数のキーバー（１３０）の少なくとも１つに対して圧縮荷重を生じさせるように、前記ケーブルの部分（１４６）を前記固定子ラッパ（１６０）に接続する少なくとも１つのアンカーデバイス（１７０）とを含む、発電電動装置（１１０）。
【請求項６】
前記少なくとも１つのアンカーデバイス（１７０）および前記ケーブルの部分（１４６）が前記ラッパ（１６０）の壁に取り付けられ、前記少なくとも１つのアンカーデバイス（１７０）が前記壁の外部の地点からアクセス可能である、請求項５記載の発電電動装置（１１０）。
【請求項７】
前記少なくとも１つのアンカーデバイス（１７０）が、前記壁の内部の地点と前記壁の外部の前記地点との間にほぼ気密のシールをもたらす、請求項６記載の発電電動装置（１１０）。
【請求項８】
タービン（２１０）と、
前記タービン（２１０）に結合された回転子（１１５）と、
前記回転子（１１５）をほぼ取り囲む固定子とを備え、前記固定子が、
固定子鉄心（１２０）を前記固定子鉄心（１２０）が少なくとも部分的に収容される固定子ラッパ（１６０）に動作可能に結合する複数のキーバー（１３０）と、
前記複数のキーバー（１３０）を取り囲むケーブル（１４０）と、
前記ケーブル（１４０）を前記複数のキーバー（１３０）の周りで締め付けることによって、前記複数のキーバー（１３０）の少なくとも１つに対して圧縮荷重を生じさせるように、前記ケーブルの部分（１４６）を前記固定子ラッパ（１６０）に接続する少なくとも１つのアンカーデバイス（１７０）とを含む、発電システム（２００）。
【請求項９】
前記少なくとも１つのアンカーデバイス（１７０）および前記ケーブルの部分（１４６）が前記ラッパ（１６０）の壁に取り付けられ、前記少なくとも１つのアンカーデバイス（１７０）が前記壁の外部の地点からアクセス可能である、請求項８記載の電力発電システム（２００）。
【請求項１０】
前記少なくとも１つのアンカーデバイス（１７０）が、前記壁の内部の地点と前記壁の外部の前記地点との間にほぼ気密のシールをもたらす、請求項９記載の電力発電システム（２００）。
【発明の詳細な説明】
【技術分野】
【０００１】
本明細書に開示する主題は、キーバー圧縮装置に関する。具体的には、本明細書に開示する主題は、発電電動機械におけるキーバーの振動およびそれに関連する騒音を低減するためのキーバー圧縮装置に関する。
【背景技術】
【０００２】
発電機などの発電電動機械の固定子は、一般に、固定子鉄心と固定子フレームとを含む。固定子鉄心は一般的に円筒形状を有し、絶縁された鋼積層のスタックを含む。各積層は全円のセグメントであり、固定子巻線を受け入れるスロットをその内径上に、またダブテールスロットをその外径上に有する。
【先行技術文献】
【特許文献】
【０００３】
【特許文献１】米国特許第６５９７０８１号公報
【発明の概要】
【発明が解決しようとする課題】
【０００４】
固定子フレームには複数のキーバーが接続され、各キーバーは、固定子鉄心を構造的に支持するダブテールを有する。固定子鉄心の組立て中、各積層は、積層のダブテールスロットをそれに対応するキーバーダブテール上に係合することによって、固定子フレームに装着される。キーバーダブテールと積層の面との間には、キーバーと積層の位置および寸法公差を考慮に入れた上で、固定子鉄心を簡単に組み立てられるように十分な間隙が設けられる。キーバーダブテールの３つの面とそれに対応する積層ダブテールスロットの向かい合った面との間の間隙は、キーバーダブテールがキーバーの長さに沿ってその位置公差内で不規則に位置することにより、不規則に変動する。この可変の間隙により、キーバーダブテールとそれに対応する積層との間の実際の接触位置（したがって、固定子フレームと固定子鉄心との間の接触位置）は不規則に分布する。
【課題を解決するための手段】
【０００５】
発電電動機械におけるキーバーのがたつきを低減するための解決策が開示される。一実施形態では、装置は、固定子鉄心を固定子鉄心が少なくとも部分的に収容される固定子ラッパに動作可能に結合する複数のキーバーと、複数のキーバーを取り囲むケーブルと、ケーブルを複数のキーバーの周りで締め付けることによって、複数のキーバーの少なくとも１つに対して圧縮荷重を生じさせるように、ケーブルの部分を固定子ラッパに接続する少なくとも１つのアンカーデバイスとを備える、装置を含む。
【０００６】
本発明の第１の態様は、固定子鉄心を固定子鉄心が少なくとも部分的に収容される固定子ラッパに動作可能に結合する複数のキーバーと、複数のキーバーを取り囲むケーブルと、ケーブルを複数のキーバーの周りで締め付けることによって、複数のキーバーの少なくとも１つに対して圧縮荷重を生じさせるように、ケーブルの部分を固定子ラッパに接続する少なくとも１つのアンカーデバイスとを備える、装置を提供する。
【０００７】
本発明の第２の態様は、回転子と、回転子をほぼ取り囲む固定子とを備え、その固定子が、固定子鉄心を固定子鉄心が少なくとも部分的に収容される固定子ラッパに動作可能に結合する複数のキーバーと、複数のキーバーを取り囲むケーブルと、ケーブルを複数のキーバーの周りで締め付けることによって、複数のキーバーの少なくとも１つに対して圧縮荷重を生じさせるように、ケーブルの部分を固定子ラッパに接続する少なくとも１つのアンカーデバイスとを含む、発電電動装置を提供する。
【０００８】
本発明の第３の態様は、タービンと、タービンに結合された回転子と、回転子をほぼ取り囲む固定子とを備え、その固定子が、固定子鉄心を固定子鉄心が少なくとも部分的に収容される固定子ラッパに動作可能に結合する複数のキーバーと、複数のキーバーを取り囲むケーブルと、ケーブルを複数のキーバーの周りで締め付けることによって、複数のキーバーの少なくとも１つに対して圧縮荷重を生じさせるように、ケーブルの部分を固定子ラッパに接続する少なくとも１つのアンカーデバイスとを含む、発電システムを提供する。
【０００９】
本発明のこれらおよび他の特徴は、本発明の様々な態様の以下の詳細な説明を、本発明の様々な実施形態を示す添付図面と併せ読むことにより、より容易に理解されるであろう。
【図面の簡単な説明】
【００１０】
【図１】従来技術の固定子の部分を示す部分断面図である。
【図２】従来技術によるキーバー圧縮機構を示す側面図である。
【図３】本発明の一実施形態によるキーバー圧縮機構を示す側面図である。
【図４】本発明の一実施形態によるキーバー圧縮機構を示す側面図である。
【図５】本発明の一実施形態によるキーバー圧縮機構を示す側面図である。
【図６】本発明の一実施形態によるキーバー圧縮機構の部分を示す拡大側面図である。
【図７】本発明の一実施形態による発電システムを示す概略図である。
【発明を実施するための形態】
【００１１】
本発明の図面は原寸に比例していないことに留意されたい。図面は、本発明の典型的な態様のみを示すものであり、したがって、本発明の範囲を限定するものと見なすべきではない。図面中、同様の番号付けは図面間で同様の要素を表す。
【００１２】
上述したように、本発明の態様は、発電電動機械におけるキーバーの振動およびそれに関する機械騒音を低減する。図面を参照すると、図１は、発電機または電動機などの発電電動機械における従来技術の固定子５の部分断面図を示す。複数のキーバースロット３４を収容する固定子鉄心２０と、複数のキーバー３０を収容する固定子ラッパ６０とを含み、キーバー３０がキーバースロット３４を係合する固定子５が示される。図示されるように、固定子鉄心２０は複数の積み重ねられた積層２１で形成されてもよいが、本明細書では、明瞭にするため、固定子鉄心２０は１つの連続的な鉄心ユニットとして言及される。キーバー３０は、ダブテール状のキーバースロット３４を補完するダブテール状部分３２を有してもよい。固定子５の組立てを容易にするため、キーバースロット３４とキーバー３０のダブテール状部分３２との間に間隙を設けなければならない。キーバースロット３４とダブテール状部分３２との間の大きな間隙（例えば、０．２５〜０．５ｍｍ（０．０１０〜０．０２０インチ））によって、固定子５の組立てが比較的簡単になる。しかし、発電電動機械（図示なし）の動作中、この間隙は、「キーバーのがたつき」として知られる状態に寄与することがある。キーバーのがたつきは、図２〜５を参照してより詳細に説明される。
【００１３】
本明細書で使用するとき、発電機の実施例は本発明および従来技術の態様について記載するために使用する。発電機は、単に、本発明の教示を適用してもよい発電電動機械の一例であることが理解される。例えば、本発明の教示は、電動機などの他の機械にも同様に適用されてもよい。いずれの場合も、用語「発電機」（「ｇｅｎｅｒａｔｏｒ」または「ｅｌｅｃｔｒｉｃ  ｇｅｎｅｒａｔｏｒ」）の使用は、本発明の教示をそのような特定のタイプの発電電動機械に限定するものではない。
【００１４】
図２を参照すると、発電電動機械におけるキーバーのがたつきを低減するための従来技術の機構が示される。図２は、回転子１５と、固定子鉄心２０と、固定子鉄心２０に動作可能に取り付けられた複数のキーバー３０と、複数のキーバー３０と接触している複数の圧縮バンドセグメント４０と、複数のキーバー３０に取り付けられ、それらを取り囲む固定子ラッパ６０とを含む、発電電動装置１０を示す。キーバー３０は、図１を参照して図示し記載したのと同様に、固定子鉄心２０と固定子ラッパ６０との間の接続点をもたらしてもよいことを理解されたい。明瞭にするため、キーバー３０、ダブテール状部分３２、およびダブテール状のキーバースロット３４の詳細は省略している（図１）。図示されるように、複数の圧縮バンドセグメント４０は、複数の圧縮バンド接合部４２によって互いに取り付けられてもよい。当該分野では知られているように、圧縮バンド接合部４２は、一般的には金属で形成され、複数の圧縮バンドセグメント４０を、キーバー３０を取り囲む１つの連続したリングに取り付けられるようにする。圧縮バンド接合部４２は、一般的には、圧縮バンドセグメント４０間の接続を締め付け、または緩める機構を含む。圧縮バンドセグメント４０は、鋼などの金属で形成されてもよい。圧縮バンドセグメント４０によってキーバー３０の周りに形成されるリングを締め付け、または緩めるため、操作者は、開口部６２において固定子ラッパ６０を開き、圧縮バンド接合部４２によって形成された接続を手作業で締め付けなければならない。この方法を使用して圧縮バンド接合部４２にアクセスするには、発電機装置１０を停止する必要があり、また、発電電動装置１０を脱気する必要があることがある。当該分野では知られているように、多くの場合、とりわけその伝熱特性のために、発電電動機械（例えば、発電機）の冷却剤として水素が使用される。しかし、発電機を運転または停止するとき、操作者による安全なアクセスを可能にするため、水素はシステムからパージされる場合が多い。発電機の停止および／または脱気は、不便でコストがかかることがある。さらに、圧縮バンドセグメント４０のリングを均一に締め付けるため、操作者は、複数の開口部６２を通して複数の圧縮バンド接合部４２にアクセスしなければならない。これによって、修理時間がさらに長くなり、発電電動装置１０が発電している時間が低減される。
【００１５】
図３を参照すると、本発明の一実施形態による発電電動装置１１０が示される。発電電動装置１１０は、発電電動回転子１１５と、発電電動固定子ラッパ１６０と、発電電動固定子鉄心１２０と、複数のキーバー１３０とを含んでもよい。発電電動固定子鉄心１２０は、発電電動固定子ラッパ１６０に少なくとも部分的に収容されてもよい。複数のキーバー１３０は、従来の手段によって、発電電動固定子鉄心１２０および発電電動固定子ラッパ１６０に動作可能に取り付けられてもよい。例えば、キーバーは、発電電動固定子ラッパ１６０に溶接または別の方法で取り付けられてもよく、補完的なダブテール接続（図１）によって固定子鉄心１２０に取り付けられてもよい。当該分野で知られているように、固定子鉄心１２０は、ダブテール状部分１３２をそれぞれ有する複数のキーバー１３０に適応して取り付けるための複数のダブテールスロット（図１）を有してもよい。ダブテールスロットは、キーバー１３０のダブテール状部分に適応するのに十分な大きさであるとともに、キーバー１３０および固定子鉄心１２０の有効な取付けと分離を可能にするのに十分な間隙を提供してもよい。この間隙は、約０．２５〜０．５ｍｍ（約０．０１０〜０．０２０インチ）の範囲であってもよい。発電電動装置１１０の動作中、キーバー１３０の各ダブテール状部分１３２と固定子鉄心１２０の各ダブテールスロットとの間の間隙によって、固定子鉄心１２０の移動が可能になってもよい。この移動は、例えば、磁束力による固定子鉄心１２０の伸縮によって引き起こされてもよい。いずれの場合も、この移動は、発電電動装置１１０に望ましくない騒音と損傷をもたらすことがある。この騒音は、当該分野において、「がたつき」または「キーバーのがたつき」として知られている。
【００１６】
発電電動装置１１０は、複数のキーバー１３０を取り囲むケーブル１４０をさらに含んでもよい。図３に示されるように、ケーブル１４０の部分１４６は、アンカーデバイス１７０によって固定子ラッパ１６０の壁に接続されてもよい。締め付けたとき、ケーブル１４０は、複数のキーバー１３０の少なくとも１つに対して圧縮荷重を提供するように構成されてもよい。アンカーデバイス１７０はさらに、ケーブル１４０を締め付け、それによってケーブル１４０に張力を作り出し、複数のキーバー１３０の少なくとも１つに対して圧縮荷重を提供するように構成されてもよい。アンカーデバイス１７０、ならびにケーブル１４０を締め付ける方法の異なる実施形態を、本明細書にてさらに考察する。ケーブル１４０によって提供される圧縮荷重は、キーバーダブテール１３２と鉄心１２０の固定子ダブテールスロット（図示なし）との間の間隙を低減することができ、また、発電電動装置１１０の動作中におけるキーバーのがたつきを低減することができる。
【００１７】
一実施形態では、ケーブル１４０の部分１４６は、ケーブル１４０の部分１４６をアンカーデバイス１７０に取り付けるように構成されたループ１４２を含んでもよい。ループ１４２は、例えば、カプラ１４４を使用して、ケーブル１４６の第１の部分をケーブル１４６の第２の部分に取り付けることによって形成されてもよい。カプラ１４４は、止め金、クランプなどの任意の従来の結合デバイスであってもよい。アンカーデバイス１７０は、ケーブル１４０の部分１４６を固定子ラッパ１６０の壁に固定することができる任意のデバイスであってもよい。例えば、一実施形態では、アンカーデバイス１７０はアンカーブロック１７２および少なくとも１つのボルト１７４を含んでもよい。アンカーブロック１７２は、図６を参照して示され記載されるように、ケーブル１４６の第１の部分を保持することができる任意の材料片であってもよい。例えば、アンカーブロック１７２は、金属、複合材などから作られたダンベル状ブロックであってもよい。この実施形態では、ケーブル１４６の第１の部分（例えば、ループ１４２）は、ダンベル状のアンカーブロック１７２の狭い部分に取り付けられてもよい。この実施形態では、アンカーブロック１７２は、少なくとも１つのボルト１７４を締め付けることによって、ループ１４２を固定子ラッパ１６０の壁に向かって引っ張るように構成されてもよい。少なくとも１つのボルト１７４は、アンカーブロック１７２を係合する（例えば、ねじ止めする）第１の端部と、アクセスブロック１７３（図６）を係合する（例えば、ねじ止めする）第２の端部とを有してもよい。ボルト１７４は、第２の端部（例えば、アクセスブロック１７３の位置にある）から締め付けられてもよく、その第２の端部は、固定子ラッパ１６０の壁の外部のポイントからアクセス可能であってもよい。
【００１８】
別の実施形態では、アンカーデバイス１７０は、例えば、フック、ループ、アンカーブロックなどの電気機械的移動を使用して、ケーブル１４０を締め付けるように構成された、電動機（図示なし）を含んでもよい。この電動機は、フックまたは他の係合デバイスに結合されてもよく、電気信号に応答して、ケーブルの部分１４６を固定子ラッパ１６０の壁に向かって引っ張ってもよい。この実施形態では、電動機は、無線もしくは有線コントローラ、または特定用途向けコンピュータなどのコンピュータ化デバイスによって制御されてもよい。いずれの場合も、アンカーデバイス１７０は、ケーブル１４０を締め付けて、ケーブル１４０によって複数のキーバー１３０を収縮させ、それによって、キーバーダブテール１３２と固定子鉄心１２０のダブテールスロットとの間の間隙を低減させてもよい。図３に示されるように、発電電動装置１１０は少なくとも１つのアンカーデバイス１７０を含んでもよく、それによってケーブル１４０の締め付けが可能になってもよい。
【００１９】
図４は、図３の発電電動装置１１０の代替実施形態を示す。この実施形態では、１つのアンカーデバイス１７０のみを使用してケーブル１４０が締め付けられる。この例では、保持デバイス２７０を使用してケーブルの第２の部分２４６が適所で保持される一方、第１の部分１４６はアンカーデバイス１７０によって締め付けられてもよい。保持デバイス２７０は、ケーブルの第２の部分２４６を固定子ラッパ１６０の壁に対してほぼ固定の位置で保持することができる、任意のデバイスであってもよい。例えば、保持デバイス２７０は、フック、ループ、ブロック、ボルトなどであってもよい。ケーブルの第２の部分２４６は、第１の部分１４６（例えば、ケーブルループ）とほぼ同様であってもよく、ケーブルの第２の部分２４６は、異なる形状および／または材料で形成されてもよい。例えば、ケーブルの第２の部分２４６は追加材料のコーティングで強化されてもよく、かつ／または、例えば溶接などによって、保持デバイス２７０に締結されてもよい。いずれの場合も、この実施形態では、ケーブルの第２の部分２４６は固定子ラッパ１６０の壁に対してほぼ固定の位置に留まってもよい。
【００２０】
図５は、図３および図４の発電電動装置１１０の別の代替実施形態を示す。この実施形態では、１つのアンカーデバイス１７０のみを使用して第１の部分１４６が固定され締め付けられてもよい。この例では、ケーブル１４０は、例えばループおよびカプラ（カプラ１４４に類似）を使用して、ケーブル自体が、またはケーブル１４０の端部をケーブル１４０の別の部分につなぐ別の機構の周りでループ状になるように構成されてもよい。この実施形態は、１つのアンカーデバイス１７０のみが固定子ラッパ１６０に取り付けられるという点で、コストを低減することができる。
【００２１】
図３〜５に示されるように、アンカーデバイス１７０およびケーブルの部分１４６は、固定子ラッパ１６０の壁の内部のポイントで互いに取り付けられてもよく、アンカーデバイス１７０の部分は壁の外部のポイントからアクセス可能である。これにより、中でも特に、ラッパの壁の内部を（例えば、図１の開口部６２とは別個に）開く必要なしに、ケーブル１４０を締め付けることができるようになる。アンカーデバイス１７０はさらに、ラッパの壁の内部のポイント（ケーブルの部分１４６とアンカーデバイス１７０が取り付けられる場所）と、壁の外部のポイント（アンカーデバイス１７０が調節されてもよい場所）との間にほぼ気密のシールをもたらしてもよい。ほぼ気密のシールは、例えば、グランド（ｇｌａｎｄ）または他のシールデバイス（図６）によってもたらされてもよい。固定子ラッパ１６０の壁の外部のポイントからアンカーデバイス１７０にアクセスすることで、発電電動装置１１０を脱気または停止する必要なしに、ケーブル１４０を締め付けたり緩めたりできるようになる。
【００２２】
ケーブル１４０は、例えば、網組のポリエステルまたはケブラー（Ｋｅｖｌａｒ）などの複合材料外装に包まれた、例えば鋼製ケーブルで形成されてもよい。ケーブル１４０はまた、主に、例えば炭素繊維強化複合材（ＣＦＲＰ）などの複合材で形成されてもよい。いずれの場合も、ケーブルは、発電電動装置１１０の物理的性質をほぼ変更することなく、キーバー１３０に対する圧縮力を提供してもよい。当該分野で知られているように、キーバー１３０は、固定子ラッパ１６０と固定子鉄心１２０との間を接続してもよい。キーバー１３０はまた、発電電動装置１１０内に固定子鉄心１２０を部分的に吊り下げる役割を果たす。そのため、キーバー１３０に対して圧縮力を提供することは、必然的に、キーバー１３０によって固定子鉄心１２０にもたらされる吊下げ量を変更する働きをする。しかし、従来技術（図１）の（例えば、鋼の）圧縮バンドセグメント４０とは対照的に、ケーブル１４０を使用して、発電電動装置１１０は、固定子鉄心１２０の吊下げに対する影響を最小限に抑えながら、キーバー１３０に対して圧縮力を提供することができる。例えば、一実施形態では、ケーブル１４０は、固定子鉄心１２０の吊下げのコンプライアンスを１０〜１５％未満だけ修正してもよい。ケーブル１４０は、予め設計された発電電動装置１１０に適用されていてもよいが、一実施形態では、発電電動装置１１０は、ケーブル１４０の吊下げに関する効果を補償するように設計されてもよいことを理解されたい。
【００２３】
図６は、本発明の一実施形態による発電電動装置１１０の部分の拡大側面図を示す。図示されるように、アンカーデバイス１７０は、アンカーブロック１７２と、ボルト１７４と、シール１７９を含む内部アクセスブロック１７３と、アクセスカバー１７７を含む外部アクセスブロック１７５とを含んでもよい。この実施形態では、ボルト１７４は、例えばボルト１７４を保持するナットを締め付けることによって、固定子ラッパ１６０の壁の外部のアクセスポイントから締め付けられてもよい。操作者は、外部アクセスブロック１７５のアクセスカバー１７７を取り除くことによって、固定子ラッパ１６０の壁の外部のポイントからボルト１７４にアクセスすることができる。シール１７９は、固定子ラッパ１６０の壁の外部のポイントと、その壁の内部のポイントとの間にほぼ気密のシールを提供してもよい。内部アクセスブロック１７３および外部アクセスブロック１７５は、金属および／または複合材などの任意の適切な材料を含んでもよい。図示されるように、外部アクセスブロック１７５は、固定子ラッパ１６０の壁に外部から取り付けられてもよい。これによって、アクセスカバー１７７のみを壁の外部から取り除けばよくなるので、ボルト１７４にアクセスするコストおよび複雑さを低減することができる。アクセスカバー１７７は、外部アクセスブロック１７５の上に、ボルト、ねじ、クランプ、スナップ閉めなどで留められてもよい。いずれの場合も、この実施形態では、操作者は、発電電動装置１１０を脱気および／または停止する必要なしに、ケーブル１４０に対する張力を修正することができる。
【００２４】
図７を参照すると、発電システム２００に含まれる構成要素が示される。発電システム２００は、発電電動装置１１０と、タービン２１０と、軸体２７５とを含んでもよい。発電電動装置１１０は、図２を参照して示され記載された発電電動装置に類似していてもよい。図示されるように、発電電動装置１１０は軸体２７５によってタービン２１０に結合されてもよい。タービン２１０は、任意の従来の蒸気タービンまたはガスタービンであってもよい。さらに、タービン２１０は、高出力部、中間出力部、および低出力部の１つまたは複数を含む複数の蒸気タービン部など、複数のタービンシステムを表してもよい。明瞭にするため、従来のタービンシステムに含まれる他の構成要素（例えば、コンデンサ、ＨＲＳＧ部など）は省略している。いずれの場合も、タービン２１０は、タービンブレード（図示なし）を通って蒸気または熱ガスが流れることにより、回転運動を発生させてもよい。この回転運動は、軸体２７５を通して発電電動装置１１０に転送されてもよく、軸体が次にその回転運動を回転子１１５（図２）に転送してもよい。例えば、発電電動装置１１０内部の回転子１１５の回転は、例えば家庭、商用などで使用される、電気を発生させてもよい。また、発電電動装置１１０からの回転運動は、例えばタービン２１０の始動中、軸体を通してタービン２１０に転送されてもよいことを理解されたい。
【００２５】
本明細書に使用される用語は、単に特定の実施形態について説明するためのものであり、本開示を限定するものではない。本明細書に使用されるとき、単数形「ａ」、「ａｎ」、「ｔｈｅ」は、文脈において特に明示しない限り、複数形も含むものとする。さらに、用語「備える」および／または「備えている」は、本明細書に使用されるとき、提示する特徴、整数、ステップ、動作、要素、および／または構成要素が存在することを特定するが、他の特徴、整数、ステップ、動作、要素、構成要素、および／またはそれらの群の１つもしくは複数が存在すること、あるいはそれらが付加されることを除外しないことが理解されるであろう。
【００２６】
本明細書は、実施例を使用して、最良の形態を含む本発明を開示するとともに、任意のデバイスもしくはシステムの作成と使用、および任意の包含される方法の実行を含む、当業者による本発明の実施を可能にしている。本発明の特許性を有する範囲は、請求項によって定義され、当業者が想到する他の実施例を含んでもよい。そのような他の実施例は、請求項の文言と同様の構造要素を有する場合、または請求項の文言とわずかしか違わない等価の構造要素を含む場合、請求項の範囲内にあるものとする。
【符号の説明】
【００２７】
５  固定子
１０  発電電動装置
１５  回転子
２０  固定子鉄心
２１  積層
３０  キーバー
３２  ダブテール状部分
３４  キーバースロット
４０  圧縮バンドセグメント
４２  圧縮バンド接合部
６０  固定子ラッパ
６２  開口部
１１０  発電電動装置
１１５  発電電動回転子
１２０  発電電動固定子鉄心
１３０  キーバー
１３２  ダブテール状部分
１４０  ケーブル
１４２  ループ
１４４  カプラ
１４６  ケーブルの部分
１６０  発電電動固定子ラッパ
１７０  アンカーデバイス
１７２  アンカーブロック
１７３  内部アクセスブロック
１７４  ボルト
１７５  外部アクセスブロック
１７７  アクセスカバー
１７９  シール
２００  発電システム
２１０  タービン
２４６  ケーブルの第２の部分
２７０  保持デバイス
２７５  軸体
【図１】
2011101587.tif 000003
【図２】
2011101587.tif 000004
【図３】
2011101587.tif 000005
【図４】
2011101587.tif 000006
【図５】
2011101587.tif 000007
【図６】
2011101587.tif 000008
【図７】
2011101587.tif 000009